(57)【特許請求の範囲】
【請求項１】
遊技球に打撃を加えて当該遊技球を発射させる遊技球発射装置であって、
前記遊技球に打撃を加える打撃部と、一端部に前記打撃部を備えたハンマ本体とを有するハンマと、
前記ハンマ本体の他端部が取り付けられ、前記ハンマ本体を回動させて前記打撃部を遊技球に向かって変位させる駆動機構と、
前記ハンマの振動を抑制又は軽減するための制振部材と、
前記ハンマが変位する変位範囲を規制するストッパとを備え、
前記ハンマ本体には、前記ストッパに対向する面に、前記ハンマ本体の長手方向に沿った溝が設けられ、
当該溝は、前記ストッパに対向する面に対する両側面を前記長手方向に対して直角方向に亘って貫通し、前記両側面を、前記長手方向に対して直角方向から正面視した場合に、前記溝の底面から開方向に向かって幅が狭くなる台形状に形成され、
前記制振部材は、弾性を有しかつ前記溝の壁面に密着するように前記溝に嵌め込まれる台形状の部材であり、前記ストッパによって前記変位範囲が規制される場合に、前記ストッパと当接する箇所に設けられたことを特徴とする遊技球発射装置。
【請求項２】
請求項１に記載の遊技球発射装置を備えたことを特徴とする弾球遊技機。
【発明の詳細な説明】
【技術分野】
【０００１】
本発明は、遊技球発射装置及び弾球遊技機に関するものである。
【背景技術】
【０００２】
パチンコ機やアレンジボール式パチンコ機等の弾球遊技機は、遊技球を打撃して遊技盤に向けて発射させる遊技球発射装置を備えている。この遊技球発射装置は、様々な方式が提案されている。例えば、モータのシャフトの回転等によって、遊技球に当接するハンマを回動させ、回転方向の前進時にハンマの先端部に装着された打撃部材で遊技球を打撃する方式あるいは直線的に往復するハンマをプランジャ式のソレノイドなどによって往復駆動し、前進時にハンマの打撃部で遊技球を打撃する方式である。
【０００３】
上記した両方式とも、ハンマの打撃部が遊技球に衝突して、ハンマの運動エネルギーが遊技球に伝達され、遊技球が遊技盤に向かって発射される。
【０００４】
しかし、上述したような遊技球発射装置においては、その遊技球発射装置に対する振動によって、遊技球を発射する強さにばらつきが生じるおそれがあった。このように遊技球を発射する強さにばらつきが生じることによって、遊技者の意図する箇所に遊技球を発射することができず、優れた遊技性を有する弾球遊技機であっても、遊技に対する興趣が減退するおそれがあった。
【０００５】
そこで、例えば、特許文献１に示すように、モータのシャフトの一端にフライホイールを取り付けた遊技球発射装置が開示されており、モータのシャフトの振動を小さく抑えることによって、弾球の発射軌道のばらつきを小さく抑えることができる。
【特許文献１】特開２００３−３２５７９１号公報
【発明の開示】
【発明が解決しようとする課題】
【０００６】
しかしながら、上述した遊技球発射装置では、シャフト自体の振動を抑え、モータを正常に動作させることを目的としているが、シャフト自体の振動を抑えたとしても、遊技球を打撃する際にハンマに生ずる振動を直接的に抑制又は軽減しなければ、遊技球の発射軌道のばらつきを抑えるには不充分であった。
【０００７】
本発明は、上述したような課題に鑑みてなされたものであり、ハンマに生ずる振動を抑制又は軽減することによって遊技球の発射軌道のばらつきを抑えることができる遊技球発射装置及び弾球遊技機を提供することを目的とする。
【課題を解決するための手段】
【０００８】
以上のような目的を達成するために、本発明は、以下のようなものを提供する。
【０００９】
（１）  遊技球に打撃を加えて当該遊技球を発射させる遊技球発射装置であって、遊技球に打撃を加えるためのハンマと、前記ハンマが取り付けられ、当該ハンマを遊技球に向かって変位させる駆動機構と、前記ハンマの振動を抑制又は軽減するための制振部材と、前記ハンマが変位する変位範囲を規制するストッパとを備え、前記ハンマは、前記遊技球を打撃する打撃部と、一端部に前記打撃部を備え、他端部を前記駆動機構に取り付け、前記駆動機構によって回動するハンマ本体とを有し、前記ハンマ本体には、前記ストッパに対向する面に、前記ハンマ本体の長手方向に沿った溝が設けられ、当該溝は、前記ストッパに対向する面に対する両側面を前記長手方向に対して直角方向に亘って貫通し、前記両側面を、前記長手方向に対して直角方向から正面視した場合に、前記溝の底面から開方向に向かって幅が狭くなる台形状に形成され、前記制振部材は、弾性を有しかつ前記溝の壁面に密着するように前記溝に嵌め込まれる部材であり、前記ストッパによって前記変位範囲が規制される場合に、前記ストッパと当接する箇所に設けられたことを特徴とする遊技球発射装置。
【００１２】
（２）  （１）に記載の遊技球発射装置を備えたことを特徴とする弾球遊技機。
【００１３】
（１）又は（２）に記載の発明によれば、ハンマの振動を抑制又は軽減するための制振部材とを備えたので、遊技球を打撃する際にハンマ自体に生ずる振動が直接的に抑制又は軽減され、遊技球の発射軌道のばらつきを抑えることができる。また、例えば、上述した特許文献１に示すように、シャフトにフライホイールを取り付けるよりも、サイズの小型化が可能である。
【００１４】
（１）又は（２）に記載の発明によれば、ハンマに設けられた溝に弾性を有する制振部材が嵌め込まれるので、煩雑な作業を行うことなく、製造時、メンテナンス時などにおいて容易に着脱できる。また、ハンマと制振部材とを密着させて取り付けることができ、より一層、制振機能を高めることができる。
【００１５】
（１）又は（２）に記載の発明によれば、ハンマが変位する変位範囲を規制するストッパを備え、制振部材は、ストッパによって変位範囲が規制される場合に、ストッパと当接する箇所に設けられているので、ハンマの変位範囲を規制するストッパを用いた構成であっても、ハンマの変位範囲が規制される際にはそのストッパと制振部材とが当接し、ストッパとの衝突によりハンマに伝わる振動が抑制又は軽減され、遊技球の発射軌道のばらつきを抑えることができる。
【発明の効果】
【００１６】
この発明によれば、ハンマの振動を抑制又は軽減するための制振部材とを備えたので、遊技球を打撃する際にハンマ自体に生ずる振動が直接的に抑制又は軽減され、遊技球の発射軌道のばらつきを抑えることができる。
【発明を実施するための最良の形態】
【００１７】
以下に、本発明の好適な一実施形態について図面に基づいて説明する。
【００１８】
［弾球遊技機の構成］
本実施形態における弾球遊技機の概観を示す正面図を図１に示す。尚、以下において説明する実施形態においては、本発明に係る弾球遊技機に好適な実施形態として本発明をデジタルパチンコ遊技機（デジパチ、第１種パチンコ遊技機とも称される。）に適用した場合を示す。
【００１９】
尚、上述した実施形態においては、第１種パチンコ遊技機を例に挙げたが、これに限らず、羽根モノ、ヒコーキと称される第２種パチンコ遊技機、権利ものと称される第３種パチンコ遊技機、その他、遊技球に打撃を加えて当該遊技球を発射させる遊技機であれば、別の態様であってもよい。
【００２０】
パチンコ遊技機１について図１を用いて説明する。
【００２１】
パチンコ遊技機１は、図１に示すように、遊技球を発射させる遊技球発射装置１０、遊技球が転動可能な遊技領域１４を有する遊技盤１２、遊技球発射装置１０によって発射された遊技球を遊技領域１４に案内するガイドレール１６、遊技者によって発射操作可能な発射ハンドル１８、遊技に関する制御（遊技球発射装置１０の制御を含む）を行う制御回路（図示せず）などを備えている。
【００２２】
パチンコ遊技機１の略中央部下方には、遊技球発射装置１０が配設されている。この遊技球発射装置１０は、詳しくは後述するが、遊技球に打撃を加え、その遊技球を後述する遊技領域１４に発射させる機能を有する。
【００２３】
尚、本実施形態においては、パチンコ遊技機１の略中央部下方に遊技球発射装置１０が配設されているが、これに限らず、例えば、パチンコ遊技機１の上方に遊技球発射装置１０が配設されるなど、パチンコ遊技機１における別の箇所に遊技球発射装置１０が配設されていてもよい。
【００２４】
更には、パチンコ遊技機１の略中央部には、遊技盤１２が設けられている。この遊技盤１２には、遊技球発射装置１０によって発射され、後述するガイドレール１６によって導かれた遊技球が転動可能な遊技領域１４が設けられている。この遊技領域１４における所定の領域を遊技球が通過することによって、遊技球が排出されるなど、遊技に関する制御が行われる。
【００２５】
また、パチンコ遊技機１には、上述した遊技球発射装置１０から発射された遊技球を遊技領域１４に導くためのガイドレール１６が設けられている。
【００２６】
また、パチンコ遊技機１の右側方には、遊技球を遊技領域１４に発射させるための発射ハンドル１８が設けられている。この発射ハンドル１８は、パチンコ遊技機１に対して回動自在に設けられており、遊技者によって発射ハンドル１８が操作されることによりパチンコ遊技を進めることができる。
【００２７】
更にまた、発射ハンドル１８の周縁部には、タッチセンサ（図示せず）が設けられている。このタッチセンサが触接されたときには、遊技者により発射ハンドル１８が握持されたと検知される。
【００２８】
従って、発射ハンドル１８が遊技者によって握持され、かつ、時計回り方向へ回動操作されたときには、その回動角度に応じた強さで、遊技球が遊技領域１４に順次発射されることとなる。
【００２９】
尚、発射ハンドル１８に設けられるタッチセンサは、遊技者によって発射ハンドル１８（遊技者によって操作可能な操作部の一例）が握持されたと判別できるものであればよく、光学的に検知するものや、熱により検知するもの等、センサの種類を問わない。もちろん、上述した発射ハンドル１８は、回動操作可能なものであるが、これに限らず、例えば、押圧操作可能なものであってもよく、ハンドル形状でなくてもよい。つまり、遊技者によって発射操作が可能なものであれば別の態様であってもよい。
【００３０】
また、パチンコ遊技機１の内部には、上述した制御回路が配設されている。この制御回路は、上述したタッチセンサ、遊技領域１４における所定の領域を通過したか否かを検知する検知センサ（図示せず）など、各種のセンサ、電動役物、チューリップなどを駆動させる各種のソレノイド、各種のセンサからの入力信号に応じて、遊技球発射装置１０の制御を行う、遊技の進行及び結果を決定する、各種のソレノイドを駆動させるなど、各種の遊技に関する制御を行うこととなる。もちろん、このような制御回路は、複数の基板に別々設けるが、一つの基板に一体的に設けても問題ない。
【００３１】
［遊技球発射装置の構成］
上述した遊技球発射装置１０について図２及び図３を用いて説明する。
【００３２】
遊技球発射装置１０は、図２及び図３に示すように、平板状の取付板１１と、取付板１１に設けられたステッピングモータ２１と、取付板１１を垂直に貫通するステッピングモータ２１のシャフト２５に取り付けられたハンマ４１と、ハンマ４１に取り付けられた制振部材７１及び７３と、取付板１１に設けられている一対のストッパ５１及び５３とを有している。
【００３３】
［ステッピングモータの構成］
ステッピングモータ２１（駆動機構の一例）は、モータ本体２３と、そのモータ本体２３に配設されたシャフト２５とを有する。このステッピングモータ２１は、ハンマ４１を回動方向に回動させるためのものであり、シャフト２５が取付板１１の上面側から突出するように、取付板１１の下面側に取り付けられている。
【００３４】
モータ本体２３は、その内部に励磁コイル（図示せず）を有している。モータ本体２３には、シャフト２５の一端が配設されている。モータ本体２３は、パチンコ遊技機１に内蔵されている制御回路と電気的に接続されている。モータ本体２３は、遊技者による発射ハンドル１８の操作に起因して制御回路から供給されるパルス信号に応じて、励磁コイルに所定の電流値の電流を流し、シャフト２５を所定の速度で回転させ、シャフト２５の他端に配設されたハンマ４１を回動方向に回動させる。つまり、モータ本体２３は、遊技者による発射ハンドル１８の操作に応じて、ハンマ４１を回転方向に回動させることとなる。
【００３５】
尚、モータ本体２３は、所定時間あたりのパルス信号のパルス数に応じて回転速度が制御される。つまり、ステッピングモータ２１は、励磁周波数を変化させることによって、シャフト２５の回転速度を制御することができる。これによって、モータ本体２３は、遊技者による発射ハンドル１８の操作に応じて、シャフト２５を介して、ハンマ４１の回動速度を制御することができる。また、モータ本体２３は、制御回路から供給されるパルス信号に応じて、ハンマ４１が所定の角度に回動した場合には、シャフト２５の回動駆動を停止させる。この場合においては、モータ本体２３は、シャフト２５の回動駆動を停止させるが、シャフト２５自体を固定させない。また、モータ本体２３は、制御回路から供給されるパルス信号に応じて、ハンマ４１を回動駆動させる場合には、ハンマ４１のゼロ点調整を行うこととなる。
【００３６】
シャフト２５は、モータ本体２３からの動力をハンマ４１に伝えるための回転軸である。シャフト２５は、その一端にモータ本体２３が配設され、その他端にハンマ４１の一端が配設されている。また、このシャフト２５は、取付板１１の上面側から突出するように配設されている。
【００３７】
尚、本実施形態においては、シャフト２５にフライホイールなどが備えられていないが、これに限らず、例えば、モータ本体２３、シャフト２５に対する振動を抑制又は軽減するために、シャフト２５にフライホイールなどが備えられていてもよい。
【００３８】
また、本実施形態においては、遊技球発射装置１０の駆動機構としてステッピングモータ２１が備えられているが、これに限らず、例えば、ロータリーソレノイド、直線往復動ソレノイド（プランジャ式ソレノイド）等の他の駆動機構が備えられていてもよい。つまり、駆動機構は、ハンマ４１が取り付けられ、当該ハンマ４１を遊技球に向かって変位させる（直線的、曲線的を問わない）ものであれば、本実施形態におけるステッピングモータ２１に限らない。
【００３９】
［ハンマの構成］
ハンマ４１は、遊技球に打撃を加えるための部材である。ハンマ４１は、駆動機構であるステッピングモータ２１に取り付けられた略Ｌ字形の板状体からなるハンマ本体４３と、ハンマ本体４３から回転方向に沿って延出する打撃部４５とから構成されており、後退方向（図１から図３における矢印Ａ）及び前進方向（図１から図３における矢印Ｂ）に回動可能である。また、詳しくは後述するが、ハンマ本体４３の前進方向、後退方向の面には、制振部材７１及び７３を取り付けるための溝４３ａ（図４参照）が形成されている。
【００４０】
［制振部材の構成］
制振部材７１及び７３は、それぞれハンマ本体４３の前進方向、後進方向の面に、ハンマ本体４３の長手方向に沿って取り付けられている。制振部材７１及び７３は、ゴムなどの弾性材で形成されている。また、詳しくは後述するが、制振部材７１及び７３は、横断面が台形状である略棒形状に形成されている。
【００４１】
尚、本実施形態においては、ゴムなどの弾性材で形成された制振部材７１がハンマ４１に取り付けられたが、これに限らず、例えば、高分子の粘弾性を応用した炭素繊維強化プラスチック、ニッケル・チタン系の形状記憶合金、鉄、マンガン・コバルト系の合金等の金属であってもよい。
【００４２】
［ストッパの構成］
各ストッパ５１及び５３は、取付板１１上面の対向する辺部にそれぞれ設けられている。各ストッパ５１及び５３は、ハンマ４１の回動を規制するためのものである。
【００４３】
一方の辺部に設けられたストッパ５１は、遊技球を打撃したハンマ４１の前進方向の回動を、そのハンマ４１に取り付けられた制振部材７１と当接することによって規制し、ハンマ４１に後退方向への弾発力を与える弾性材である。
【００４４】
また、他方の辺部に設けられたストッパ５３は、遊技球を打撃して、ストッパ５１によって与えられた弾発力によって戻ってきたハンマ４１の後退方向の回動を、遊技球を打撃したハンマ４１に取り付けられた制振部材７３が当接することによって規制する弾性材である。
【００４５】
［ハンマ、制振部材の構成］
上述したハンマ４１、制振部材７１及び７３について図４を用いて説明する。尚、制振部材７１及び７３は、同じような形状、材質、機能であるため、制振部材７１を代表して説明し、制振部材７３についての説明は省略する。
【００４６】
上述したように、ハンマ４１におけるハンマ本体４３は、その前進方向の面に、ハンマ本体４３の長手方向に沿って溝４３ａが形成されている。溝４３ａは、その断面が、図４（Ａ）に示すように台形状であり、開方向に向かって幅が狭くなっている。
【００４７】
また、上述したように、制振部材７１は、図４（Ａ）に示すように、その断面が台形状である。また、制振部材７１は、弾性材で形成されているため、台形状の長辺となる面が、溝４３ａの底面に向かって嵌め込まれることによって、押縮され、図４（Ｂ）に示すように、溝４３ａの壁面に密着するように嵌め込まれる。
【００４８】
このように、ハンマに設けられた溝に弾性を有する制振部材が嵌め込まれるので、煩雑な作業を行うことなく、製造時、メンテナンス時などにおいて容易に着脱できる。また、ハンマと制振部材とを密着させて取り付けることができ、より一層、制振機能を高めることができる。また、制振部材を係止するための溝を形成したので、製造時、メンテナンス時などにおいて容易に装着することができる。
【００４９】
［制振部材、ストッパの構成］
上述した制振部材７１及び７３、ストッパ５１及び５３について図５及び図７を用いて説明する。
【００５０】
上述した制振部材７１は、ハンマ４１が前進方向に向かって回動した場合には、図７に示すように、ストッパ５１と当接する位置に取り付けられている。また、この際には、ハンマ本体４３は、ストッパ５１と当接しない。
【００５１】
一方、制振部材７３は、ハンマ４１が後退方向に向かって回動した場合には、図５に示すように、ストッパ５３と当接する位置に取り付けられている。また、この際には、ハンマ本体４３は、ストッパ５３と当接しない。
【００５２】
このように、ハンマが変位する変位範囲を規制するストッパを備え、制振部材は、ストッパによって変位範囲が規制される場合に、ストッパと当接する箇所に設けられているので、ハンマの変位範囲を規制するストッパを用いた構成であっても、ハンマの変位範囲が規制される際にはそのストッパと制振部材とが当接し、ストッパとの衝突によりハンマに伝わる振動が抑制又は軽減され、遊技球の発射軌道のばらつきを抑えることができる。
【００５３】
また、ハンマは、ストッパによって変位範囲が規制される場合に、ストッパと当接しないように設けられたので、ハンマの変位範囲を規制するストッパを用いた構成であっても、ハンマの変位範囲が規制される際には、そのストッパが、ハンマと直接当接することがなく、制振部材のみと当接することとなり、より一層、ストッパとの衝突によりハンマに伝わる振動が抑制又は軽減され、遊技球の発射軌道のばらつきを抑えることができる。
【００５４】
［パチンコ遊技機及び遊技球発射装置の作用］
上述したように構成したパチンコ遊技機１及び遊技球発射装置１０の動作について図５から図７を用いて説明する。
【００５５】
最初に、遊技者によって発射ハンドル１８が操作されていない場合には、図５に示すように、ハンマ４１が初期位置に配置されている。そして、遊技者によって発射ハンドル１８が操作された場合には、制御回路は、タッチセンサなどからの入力信号に応じて、発射ハンドル１８の操作角度を検知する。続いて、制御回路は、モータ本体２３に対して、ゼロ点調整を行わせるとともに、所定の速度でシャフト２５を回動させるパルス信号を供給する。これによって、モータ本体２３は、ゼロ点調整を行うとともに、励磁コイルに所定の電流値の電流を流し、シャフト２５を所定の速度で回転させ、シャフト２５の他端に配設されたハンマ４１を回動方向（前進方向）に回動させる。
【００５６】
そして、前進方向に回動するハンマ４１は、図６に示すように、遊技球を打撃する。これによって、遊技球が遊技球発射装置１０によって発射され、ガイドレール１６に沿って、遊技領域１４に発射されることとなる。
【００５７】
このように、ハンマ４１が遊技球を打撃した場合には、その打撃の際に振動が生じるが、ハンマ４１に制振部材７１及び７３が取り付けられているため、ハンマ４１自体における振動を抑制又は減退させるとともに、シャフト２５、モータ本体２３に伝わる振動を抑制又は減退させることとなる。つまり、ハンマの振動を抑制又は軽減するための制振部材とを備えたので、遊技球を打撃する際にハンマ自体に生ずる振動が直接的に抑制又は軽減され、遊技球の発射軌道のばらつきを抑えることができる。また、例えば、上述した特許文献１に示すように、シャフト２５にフライホイールを取り付けるよりも、サイズの小型化が可能である。
【００５８】
尚、制御回路は、所定時間だけパルス信号をモータ本体２３に供給した後には、パルス信号の供給を停止させることとなる。
【００５９】
そして、前進方向に回動していたハンマ４１は、ストッパ５１によってその回動が規制される。この場合には、ストッパ５１は、ハンマ４１におけるハンマ本体４３と当接することなく、ハンマ本体４３に取り付けられた制振部材７１と当接することとなる。そして、ハンマ４１は、後退方向に回動する。このように、ハンマが変位する変位範囲を規制するストッパを備え、制振部材は、ストッパによって変位範囲が規制される場合に、ストッパと当接する箇所に設けられているので、ハンマの変位範囲を規制するストッパを用いた構成であっても、ハンマの変位範囲が規制される際にはそのストッパと制振部材とが当接し、ストッパとの衝突によりハンマに伝わる振動が抑制又は軽減され、遊技球の発射軌道のばらつきを抑えることができる。
【００６０】
また、ストッパ５１により後退方向に回動したハンマ４１は、図７に示すように、ストッパ５３によってその回動が規制される。この場合には、ストッパ５３は、ハンマ４１におけるハンマ本体４３と当接することなく、ハンマ本体４３に取り付けられた制振部材７３と当接することとなる。そして、ハンマ４１は、所定時間経過後に、制振部材７３がストッパ５３に当接した状態で静止する。このように、ハンマが変位する変位範囲を規制するストッパを備え、制振部材は、ストッパによって変位範囲が規制される場合に、ストッパと当接する箇所に設けられているので、ハンマの変位範囲を規制するストッパを用いた構成であっても、ハンマの変位範囲が規制される際にはそのストッパと制振部材とが当接し、ストッパとの衝突によりハンマに伝わる振動が抑制又は軽減され、遊技球の発射軌道のばらつきを抑えることができる。
【００６１】
尚、制御回路は、遊技者によって発射ハンドル１８が操作されている場合には、ハンマ４１を前進方向に回動させてから、所定時間（例えば、約０．６秒）経過後、再度、モータ本体２３に対して、ゼロ点調整を行わせるとともに、所定の速度でシャフト２５を回動させるパルス信号を供給する。そして、モータ本体２３は、シャフト２５を所定の速度で回転させ、シャフト２５の他端に配設されたハンマ４１を回動方向（前進方向）に回動させる。このように制御することによって、所定時間間隔で、遊技球発射装置１０に遊技球を発射させることとなる。
【００６２】
このように、ハンマの振動を抑制又は軽減するための制振部材とを備えたので、遊技球を打撃する際にハンマ自体に生ずる振動が直接的に抑制又は軽減され、遊技球の発射軌道のばらつきを抑えることができる。また、例えば、上述した特許文献１に示すように、シャフトにフライホイールを取り付けるよりも、サイズの小型化が可能である。
【００６３】
［その他の実施形態］
尚、本実施形態においては、ハンマ本体４３における前進方向及び後退方向の面に溝４３ａが形成されており、その溝４３ａに、それぞれ制振部材７１及び７３を取り付けたが、これに限らず、例えば、図８に示すように、ハンマ本体４３に溝を設けることなく、制振部材７５及び７６を取り付けてもよい。この場合においては、粘着テープ、接着剤など、ハンマに制振部材が取り付け可能な方法であればよい。また、ハンマ本体４３における前進方向及び後退方向の面に限らず、例えば、図９に示すように、ハンマ本体４３を帯状に覆うように制振部材７７を取り付けてもよい。更には、例えば、図１０に示すように、ハンマ４１に開口（図示せず）が形成され、その開口に制振部材７９ａから７９ｃを押縮させて取り付けるように構成してもよい。もちろん、ハンマ本体４３に制振部材を取り付けるように構成しなくとも、打撃部４５に制振部材を取り付けるように構成してもよい。
【００６４】
また、上述した実施形態においては、ハンマ４１の変位を規制するストッパ５１及び５３が設けられるが、これに限らず、例えば、ストッパが設けられることなく、ステッピングモータなどの駆動機構によって、ハンマの変位を規制するように構成してもよい。
【００６５】
以上、本発明の好適な一実施形態について説明したが、具体例を例示したに過ぎず、特に本発明を限定するものではない。すなわち、本発明は、主に、遊技球に打撃を加えて当該遊技球を発射させる遊技球発射装置であって、遊技球に打撃を加えるためのハンマと、前記ハンマが取り付けられ、当該ハンマを遊技球に向かって変位させる駆動機構と、前記ハンマの全部又は一部を覆うように設けられ、当該ハンマの振動を抑制又は軽減するための制振部材とを備えたことを特徴とするものであるが、遊技球発射装置、ハンマ、駆動機構、制振部材、ストッパ、弾球遊技機などの具体的構成は、適宜設計変更可能である。
【００６６】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００６７】
【図１】本発明の一実施形態の遊技球発射装置を取り付けた弾球遊技機の正面図である。
【図２】本発明の一実施形態の遊技球発射装置の斜視図である。
【図３】本発明の一実施形態の遊技球発射装置の正面図である。
【図４】本発明の一実施形態のハンマ及び制振部材の断面図である。
【図５】本発明の一実施形態の遊技球発射装置の正面図である。
【図６】本発明の一実施形態の遊技球発射装置の正面図である。
【図７】本発明の一実施形態の遊技球発射装置の正面図である。
【図８】本発明の一実施形態の遊技球発射装置の斜視図である。
【図９】本発明の一実施形態の遊技球発射装置の斜視図である。
【図１０】本発明の一実施形態の遊技球発射装置の斜視図である。
【符号の説明】
【００６８】
１    弾球遊技機
１０    遊技球発射装置
２１    ステッピングモータ
２３    モータ本体
２５    シャフト
４１    ハンマ
４３    ハンマ本体
４５    打撃部
５１、５３    ストッパ
７１、７３、７５、７６、７７、７９ａ、７９ｂ、７９ｃ  制振部材
【図１】
0004641152.tif 000002
【図２】
0004641152.tif 000003
【図３】
0004641152.tif 000004
【図４】
0004641152.tif 000005
【図５】
0004641152.tif 000006
【図６】
0004641152.tif 000007
【図７】
0004641152.tif 000008
【図８】
0004641152.tif 000009
【図９】
0004641152.tif 000010
【図１０】
0004641152.tif 000011